(57)【要約】【課題】使用者が化粧具やその他の小物を気軽にかつ安定させて置くスペースを確保し易くなる洗面器用ボードを提供する。【解決手段】洗面器の上面に載置可能に構成された洗面器用ボード２０であって、洗面器の上面に載置された際に洗面器の上面に対向する対向面２８に、対向面２８と洗面器の上面との間隔を調整可能なアジャスター４０が設けられている。【選択図】図５
2018089183.tif 000002
【特許請求の範囲】
【請求項１】
洗面器の上面に載置可能に構成された洗面器用ボードであって、
前記上面に載置された際に前記上面に対向する対向面に、該対向面と前記上面との間隔を調整可能なアジャスターが設けられていることを特徴とする洗面器用ボード。
【請求項２】
前記洗面器の洗面ボウル部の幅方向のいずれか一方側において奥行き方向に亘って載置可能とされ、
前記洗面ボウル部の奥側の上面は幅方向において中央に近づく程低くなっており、
前記アジャスターは、前記対向面における前記洗面器の奥側中央寄りに設けられている請求項１に記載の洗面器用ボード。
【請求項３】
奥側の少なくとも二点で前記アジャスターまたは支持部材によって支持され、前記二点のうち少なくとも一点には前記アジャスターが設けられ、
前記アジャスターおよび前記支持部材が着脱可能とされている請求項１または請求項２に記載の洗面器用ボード。
【請求項４】
前記洗面器の奥側に所定の奥行き寸法の上面を有する奥部が設けられ、
前記アジャスターが前記奥部の上面に当接可能に複数設けられている請求項１から請求項３のいずれか一項に記載の洗面器用ボード。
【発明の詳細な説明】
【技術分野】
【０００１】
本発明は、洗面器の上面に載置可能に構成された洗面器用ボードに関する。
【背景技術】
【０００２】
一般に、洗面台には、水栓と、水栓からの水を受ける洗面ボウル部を有する洗面器が設けられている。水栓と洗面器との相対位置関係や水栓および洗面器の形状はそれぞれ、洗面台の大きさや設置環境、使用者の好みなどによって変わるため、種々提案されている。
【０００３】
最近では、省スペース化やデザイン性などを考慮し、洗面器を洗面台の上面より上方に突出させる構成や、洗面ボウルを洗面台の上面にそのまま載置する構成も多く取り入れられている。
例えば、特許文献１には、陶器製の手洗い器本体（洗面器）が樹脂製のカウンターの載置部（上面）から上方に突出して設けられた構成が開示されている。
【先行技術文献】
【特許文献】
【０００４】
【特許文献１】特開２０１６−１０６８４１号公報
【発明の概要】
【発明が解決しようとする課題】
【０００５】
特許文献１に記載されている構成をはじめとし、洗面器を設置するスペースの幅や奥行きが比較的狭い場合などでは、限られたスペース内で水を受ける空間をより広く確保することが求められる。そのため、洗面器のリムにおいて水栓を取り付ける部分以外の部分の薄肉化が図られている。
【０００６】
例えば、使用者が奥部の上面に化粧具やその他の小物を置くとしても、手を伸ばして置いたり取ったりするのは大変である。また、奥側のリムの上面における水溜りを防止するために、奥側のリムの上面が幅方向において中央に近づく程低くなっている場合があり、奥側のリムの上面に化粧具やその他の小物を置くと、上面の傾斜によって化粧具やその他の小物が転がり、凹部内に落下するおそれもある。すなわち、使用者が化粧具やその他の小物を安定させて置くスペースを確保し難いという問題があった。
【０００７】
本発明は、使用者が化粧具やその他の小物を気軽にかつ安定させて置くスペースを確保し易くなる洗面器用ボードを提供する。
【課題を解決するための手段】
【０００８】
本発明に係る洗面器用ボードは、洗面器の上面に載置可能に構成された洗面器用ボードであって、前記上面に載置された際に前記上面に対向する対向面に、該対向面と前記上面との間隔を調整可能なアジャスターが設けられていることを特徴とする。
【０００９】
上述の構成によれば、洗面器の上面に高低差がある場合でも、アジャスターを用いて洗面器の上面と洗面器用ボードの対向面との間隔を調整し、洗面器用ボードの上面（すなわち、化粧具やその他の小物を置く面）を水平にすることができる。言い換えれば、洗面器の上面の高低差や傾斜、形状に関係なく、洗面器用ボードの上面を容易に水平にすることができる。これにより、使用者が化粧具やその他の小物を気軽にかつ安定させて置くスペースを確保し易くなる。
【００１０】
上述の洗面器用ボードでは、前記洗面器の洗面ボウル部の幅方向のいずれか一方側において奥行き方向に亘って載置可能とされ、前記洗面ボウル部の奥側の上面は幅方向において中央に近づく程低くなっており、前記アジャスターは、前記対向面における前記洗面器の奥側中央寄りに設けられていてもよい。
【００１１】
上述の構成によれば、洗面ボウル部の奥側における洗面器の上面の水が幅方向において中央に向けて集められ、洗面ボウルの内部へと円滑に流れる。同時に、アジャスターを用いて、洗面ボウル部の奥側の上面の傾斜に合わせて洗面器の上面と洗面器用ボードの対向面との間隔を調整し、洗面器用ボードの上面を水平にすることができる。
【００１２】
上述の洗面器用ボードでは、奥側の少なくとも二点で前記アジャスターまたは支持部材によって支持され、前記二点のうち少なくとも一点には前記アジャスターが設けられ、前記アジャスターおよび前記支持部材が着脱可能とされていてもよい。
【００１３】
上述の構成によれば、例えば上述のように洗面ボウル部の奥側の上面が幅方向において中央に近づく程低くなって場合に、アジャスターを幅方向において中央側に配置することで、洗面ボウル部の左側、右側のいずれにおいてもアジャスターを用いて、洗面ボウル部の奥側の上面の傾斜に合わせて洗面器の上面と洗面器用ボードの対向面との間隔を調整し、洗面器用ボードの上面を水平にすることができる。すなわち、洗面器用ボードは左右設置のどちらにも対応可能となる。
【００１４】
上述の洗面器用ボードでは、前記洗面器の奥側に所定の奥行き寸法の上面を有する奥部が設けられ、前記アジャスターが前記奥部の上面に当接可能に複数設けられていてもよい。
【００１５】
上述の構成によれば、洗面器の上面と洗面器用ボードの対向面との間隔を複数のアジャスターで調整し、洗面器の上面に対する洗面器用ボードのがたつきを確実に減らすことができる。
【発明の効果】
【００１６】
本発明に係る洗面器用ボードによれば、使用者が化粧具やその他の小物を気軽にかつ安定させて置くスペースを確保し易くなる。
【図面の簡単な説明】
【００１７】
【図１】本発明を適用した洗面器用ボードおよび洗面器用ボードを載置した洗面台の斜視図である。
【図２】本発明を適用した洗面器用ボードおよび洗面器用ボードを載置した洗面台の平面図である。
【図３】本発明を適用した洗面器用ボードおよび洗面器用ボードを載置した洗面台の図であり、図２に示すＩＩＩ線の方向から矢視した側面図である。
【図４】本発明を適用した洗面器用ボードおよび洗面器用ボードを載置した洗面台の図であり、図２に示すＩＶ−ＩＶ線で矢視した断面図である。
【図５】本発明を適用した洗面器用ボードを底面側から見た斜視図である。
【発明を実施するための形態】
【００１８】
以下、本発明を適用した洗面器用ボードよび洗面器用ボードを載置可能な洗面台の一実施形態について、図面を参照して説明する。なお、以下の説明で用いる図面は模式的なものであり、長さ、幅及び厚みの比率などは実際のものと同一とは限らず、適宜変更することができる。
【００１９】
図１および図２に示すように、本実施形態の洗面器用ボード２０は、洗面台１の支持台２の上面２ａに設置された洗面器４の上面４ａに載置され、洗面ボウル４の上面４ａに着脱可能に構成されている。
【００２０】
洗面器４は、陶器などからなり、洗面ボウル部８と、洗面ボウル部８の手前側および両側方に設けられたリム６と、洗面ボウル部８の奥側に設けられ、所定の奥行き寸法の上面１０ａを有する奥部１０と、を一体として備えている。洗面ボウル部８の側方のリム６は、比較的狭い間隔をあけて洗面台１の両側方の壁Ｗ１または壁Ｗ２に対向している。洗面ボウル部８の手前側（すなわち、不図示の使用者側）のリム６は、使用者に向けて開放されている。一方、奥部１０は、洗面台１の奥側の壁Ｗ３に当接し、不図示のネジや取り付け具などによって支持台２に取り付けられている。
【００２１】
奥部１０の幅方向ほぼ中央には、水栓１２と、洗面ボウル部８の底面中央付近に設置されている栓１４を上下方向に移動させるための栓操作部１６が設けられている。
【００２２】
洗面ボウル部８は、リム６および奥部１０に囲まれた洗面器４の凹部であり、水栓１２から出た水を受ける部分である。本実施形態の洗面ボウル部８は、平面視で略四角形状に形成されている。洗面ボウル部８の底面８ｃのほぼ中央には、洗面ボウル部８に流入した水などの液体を排水するための排水口１５と、排水口１５を開閉可能とする栓１４が設けられている。洗面ボウル部８に流入した液体が円滑に排水口１５に導かれるように、洗面ボウル部８の底面８ｃは排水口１５に向けて適度に窄まっている。
【００２３】
リム６は、内側面を洗面ボウル部８と共有し、洗面ボウル部８の外壁として洗面ボウル部８の手前側及び両側方に連続して設けられている。前述のように、洗面器４を設置するスペースの幅や奥行きが比較的狭い場合などでは、限られたスペース内で水を受ける空間をより広く確保することが求められるので、リム６は薄肉に形成されている。リム６の厚み（リム６の上面６ａの幅）は、例えば５ｍｍ程度である。リム６の内側面（側面）６ｃは、支持台２の上面２ａに対して比較的高い勾配をつけて立設されている。また、リム６の外側面６ｄは、支持台２の上面２ａに対してほぼ垂直に立設されている。
【００２４】
薄肉化されたリム６の上面６ａは、ほぼ水平に形成されている。一方、図１および図３に示すように、奥部１０の幅方向の両端部はほぼ水平に形成され、両端部から中央に近づく程低くなるように傾斜している。すなわち、奥部１０には、水が洗面器４の外にこぼれないようにするためのいわゆる水返しが形成されている。
【００２５】
洗面器用ボード２０は、前述のように洗面器４の上面４ａに載置可能であって、洗面ボウル部８の幅方向の左側または右側のいずれか一方側において奥行き方向に亘って載置可能とされている。洗面器用ボード２０は、具体的には、所定の幅寸法および洗面ボウル部８の奥行き寸法より所定の奥行き寸法だけ余裕を持たせた寸法を有する板状部材２２で主に構成されている。板状部材２２の素材としては、例えば、陶器や樹脂、金属、木材などが挙げられるが、これらに限定されない。
【００２６】
図１に示すように、洗面器用ボード２０の上面２０ａには、外周縁から所定の間隔をあけて内側に凹部２４が形成されている。凹部２４の底面２４ｅは、使用者が化粧具やその他の小物を置くための載置面２９を構成している。また、凹部２４が形成されることによって、凹部２４の周囲に縁部２５が設けられている。縁部２５は凹部２４に置かれた化粧具やその他の小物が洗面器用ボード２０からの落下を防止する機能を有する。
【００２７】
一方、図５に示すように、洗面器用ボード２０の底面２０ｅの奥側および手前側の外周部は、洗面器４の上面４ａに洗面器用ボード２０が載置された際に、洗面器４の上面４ａに対向する対向面２８を構成している。洗面器用ボード２０の底面２０ｅには、外周縁から所定の間隔をあけて内側に凸部３０が形成されている。凸部３０の少なくとも奥側、すなわち洗面器４の奥側の上面４ａに対向する対向面２８より手前側の位置の凸部３０には、左右方向に亘って凸部３０の突出面３０ｘからさらに突出したストッパー３２が設けられている。後述するように、手前側から（図３に示す黒矢印方向に）洗面器用ボード２０に力が加わった際に洗面器用ボード２０が洗面器４の洗面ボウル部８からより簡単に外れないようにする観点から、後述する支持部材４４の底面４４ｂからストッパー３２の先端の突出面３２ｔまでの高さ寸法は、例えば２５ｍｍ程度であることが好ましい。また、凸部３０の手前側、すなわち洗面器４の手前側の上面４ａに対向する対向面２８より奥側の位置の凸部３０には、左右方向に亘って凸部３０の突出面３０ｘからさらに突出した突出部３４が設けられている。突出部３４の突出面（先端面）３４ｔは、ストッパー３２の突出面３２ｔと面一とされている。
【００２８】
また、図５に示すように、洗面器用ボード２０の底面２０ｅの外周縁の手前側には、左右方向に亘って突出片３６が設けられている。突出片３６の奥側の側面３６ｄと、奥行き方向における突出片３６と凸部３０との間の対向面２８（すなわち、洗面器用ボード２０の底面２０ｅ）と、凸部３０の手前側の側面３０ｄで囲まれた凹所３８には、緩衝部材４８が設けられている。
【００２９】
図３および図５に示すように、洗面器４の上面４ａに洗面器用ボード２０が載置された際には、ストッパー３２の奥側の側面３２ｄが奥部１０の手前側の側面１０ｃ（洗面ボウル部８の奥側の内側面）に対向している。また、突出部３４の手前側の側面３４ｄが洗面器４の手前側のリム６の奥側の側面６ｃに対向している。さらに、洗面器用ボード２０の凹所３８に洗面ボウル部８の手前側のリム６が嵌入され、緩衝部材４８が洗面ボウル部８の手前側のリム６の上面６ａに当接している。
【００３０】
図４および図５に示すように、洗面器用ボード２０の対向面２８には、洗面器用ボード２０を載置した際に、対向面２８と奥部１０の上面１０ａ（洗面器４の上面４ａ）との間隔を調整可能なアジャスター４０が設けられている。対向面２８と洗面器４の上面４ａとの間隔をより細かく調整可能とする観点からすると、アジャスター４０は、対向面２８において奥部１０の上面１０ａに対向し得る部分に複数設けられていることが好ましい。
【００３１】
ただし、前述のように洗面ボウル部８の奥側の奥部１０の上面１０ａが幅方向において中央に近づく程低くなっており、リム６の上面６ａは略水平に形成されている場合は、図４および図５に示すように、アジャスター４０は、少なくとも対向面２８における洗面器４の奥側中央寄りの位置Ｐ（すなわち、洗面器４に洗面器用ボード２０を載置した際に、対向面２８と奥部１０の上面１０ａとの間隔が大きくなる箇所）に設けられていることが好ましい。
すなわち、洗面器用ボード２０は奥側の少なくとも二点Ｐ，Ｑで支持されているので、二点Ｐ，Ｑのうち少なくとも一点（図１などの例では点Ｐ）にアジャスター４０が設けられていることが好ましい。他方の点（図１などの例では点Ｑ）には、支持部材４４が設けられている。
【００３２】
また、アジャスター４０は着脱可能とされているとよい。アジャスター４０が着脱可能であれば、例えば図１や図２に示すように洗面器用ボード２０を洗面器４の洗面ボウル部８の右側に載置する際にはアジャスター４０を点Ｐに設置し、洗面器用ボード２０を洗面器４の洗面ボウル部８の左側に載置する際にはアジャスター４０を点Ｑに設置することができる。
【００３３】
アジャスター４０の構成は、特に限定されず、板状部材２２の底面２２ｅに設置可能な公知のアジャスターの構成と同様である。例えば、アジャスター４０の一例としては、図４に例示するようなネジ部４２ｈを奥部１０の上面１０ａに当接させた状態で軸部４２ｊを底面２０ｅ側から洗面器用ボード２０に挿入させたビス４２が挙げられる。
【００３４】
ネジ部４２ｈや支持部材４４、緩衝部材４８の材質としては、洗面器４の上面４ａを傷付けず、洗面器４の上面４ａとの衝撃を吸収可能な材質が好ましく、ゴムなどが挙げられる。
【００３５】
以上説明した本実施形態の洗面器用ボード２０によれば、対向面２８に、対向面２８と洗面器４の上面４ａとの間隔を調整可能なアジャスター４０が設けられていることで、洗面器４の上面４ａに高低差や傾斜が設けられている場合でも、アジャスター４０を用いて洗面器４の上面４ａと洗面器用ボード２０の対向面２８との間隔を調整し、洗面器用ボード２０の載置面２９を水平にすることができる。つまり、洗面器４の上面４の高低差や傾斜、形状に関係なく、洗面器用ボード２０の載置面２９を容易に水平にし、安定させることができる。これにより、使用者が化粧具やその他の小物を気軽にかつ安定させて置くスペースを確保することができる。
【００３６】
また、洗面器４の洗面ボウル部８の幅方向の例えば右側において、洗面器用ボード２０が奥行き方向に亘って載置可能とされ、洗面ボウル部８の奥側の奥部１０の上面１０ａは幅方向において中央に近づく程低くなっている。本実施形態の洗面器用ボード２０によれば、アジャスター４０が対向面２８における洗面器４の奥側中央寄りに設けられていることで、他の部分より洗面器４の上面４ａと洗面器用ボード２０の対向面２８との間隔が大きい点Ｐにおいてアジャスター４０を用いて間隔を容易に調整し、洗面器用ボード２０の載置面２９を容易に水平にし、安定させることができる。
したがって、洗面ボウル部８の奥側における奥部１０の上面１０ａの水が幅方向において中央に向けて集められ、洗面ボウルの内部へと円滑に流れ、洗面器４の外にこぼれるのを防止することができる。同時に、アジャスター４０を用いて、奥部１０の上面１０ａの傾斜に合わせて洗面器４の上面４ａと洗面器用ボード２０の対向面２８との間隔を調整し、上述のように洗面器用ボード２０の載置面２９を水平にすることができる。その結果、使用者が化粧具やその他の小物を気軽にかつ安定させて置くスペースを確保することができる。
【００３７】
また、本実施形態の洗面器用ボード２０によれば、奥側の二点Ｐ，Ｑで支持され、点Ｐにアジャスター４０が設けられ、アジャスター４０が着脱可能とされているので、奥部１０の上面１０ａが幅方向において中央に近づく程低くなっていることから、図１などに例示したように洗面器４の右側に載置する場合は点Ｐにアジャスター４０を設けることができる。逆に、洗面器用ボード２０を洗面器４の左側に載置する場合は点Ｑにアジャスター４０を設けることができる。このようにすることで、洗面器４に対する載置位置や洗面器４の種類が変わってもアジャスター４０の位置を変更するだけで、洗面器４の上面４ａと洗面器用ボード２０の対向面２８との間隔を良好にかつ容易に調整し、上述のように洗面器用ボード２０の載置面２９を水平にすることができる。
【００３８】
また、本実施形態の洗面器用ボード２０によれば、例えば上述のように洗面ボウル部の奥側の上面が幅方向において中央に近づく程低くなっていれば、アジャスターを幅方向において中央側に配置することで、洗面ボウル部の左側、右側のいずれにおいてもアジャスターを用いて、洗面ボウル部の奥側の上面の傾斜に合わせて洗面器の上面と洗面器用ボードの対向面との間隔を調整し、洗面器用ボードの上面を水平にすることができる。すなわち、洗面器用ボードは左右設置のどちらにも対応可能となる。
【００３９】
また、本実施形態の洗面器用ボード２０によれば、洗面器４の奥側に奥部１０が設けられ、アジャスター４０が奥部１０の上面１０ａに当接可能に複数設けられている場合、洗面器４の上面４ａと洗面器用ボード２０の対向面２８との間隔を複数のアジャスター４０で調整し、洗面器４の上面４ａに対する洗面器用ボード２０のがたつきを確実に減らすことができる。
【００４０】
以上、本発明の好ましい実施形態について詳述したが、本発明は係る特定の実施形態に限定されるものではなく、特許請求の範囲内に記載された本発明の要旨の範囲内において、種々の変更が可能である。
【００４１】
例えば、アジャスター４０の上部が洗面器用ボード２０の上面２０ａに露出し、洗面器４の上面４ａに載置した洗面器用ボード２０の上方から何らかの方法（例えば、付属ドライバーを用いるなど）でアジャスター４０による洗面器４の上面４ａと洗面器用ボード２０の対向面２８との間隔の調整が可能とされていてもよい。
【００４２】
上述の実施形態では、平面視長方形の洗面器用ボード２０を例示して説明したが、本発明に係る洗面器用ボードはこのような形状に限定されない。また、凹部２４にある程度の深さを持たせてもよく、凹部２４の内部が複数の空間に区画されていても構わない。
【符号の説明】
【００４３】
４  洗面器
４ａ，１０ａ  上面
６  リム
８  洗面ボウル部
１０  奥部
２０  洗面器用ボード
２８  対向面
３２  ストッパー
４０  アジャスター
４４  支持部材
Ｐ，Ｑ  点
【図１】
2018089183.tif 000003
【図２】
2018089183.tif 000004
【図３】
2018089183.tif 000005
【図４】
2018089183.tif 000006
【図５】
2018089183.tif 000007